【事件の表示】
　特許第３１０９３８１号「住宅プランニングシステム」の請求項１ないし７に係る特許に対する特許異議の申立てについて、次のとおり決定する。
【結　論】
　訂正を認める。
　特許第３１０９３８１号の請求項１ないし７に係る特許を維持する。
【理　由】
１．手続の経緯
　特許第３１０９３８１号の請求項１ないし７に係る発明は、平成６年４月２２日に特許出願され、平成１２年９月１４日にその特許権の設定登録がなされたものであり、その後特許異議申立人株式会社ディスクより全請求項に対して特許異議の申立てがなされ、当審より全請求項に対して特許異議申立の理由と同旨の取消理由が通知され、その指定期間内である平成１３年１０月２９日に特許権者より意見書とともに訂正請求書が提出されたものである。
　
２．訂正の適否についての判断
(1)特許権者が訂正請求書において求めた訂正の内容は、次のとおりである。
　(a)「【請求項１】予算を含む基本情報を入力する基本情報入力手段と、
　間取りに関する情報を入力する間取り情報入力手段と、
　部屋に用いられる商品の商品情報を記憶する商品情報記憶手段と、
　前記基本情報入力手段から入力された基本情報および前記間取り情報入力手段から入力された間取り情報に対応する商品情報を前記商品情報記憶手段から選択する商品選択手段とを具備することを特徴とする住宅プランニングシステム。」を
 「【請求項１】
建物の
に基づいて、建物の予算を各部屋に分配し.また各部屋の広さを求め、各部屋ごとに、分配された予算および求められた広さ
　(b)「【０００６】
【課題を解決するための手段】上記課題を解決するために、請求項１に記載の発明においては、予算を含む基本情報を入力する基本情報入力手段と、間取りに関する情報を入力する間取り情報入力手段と、部屋に用いられる商品の商品情報を記憶する商品情報記憶手段と、前記基本情報入力手段から入力された基本情報および前記間取り情報入力手段から入力された間取り情報に対応する商品情報を前記商品情報記憶手段から選択する商品選択手段とを具備することを特徴とする。」を
「【０００６】
【課題を解決するための手段】上記課題を解決するために、請求項１に記載の発明においては、建物の予算を含む基本情報を入力する基本情報入力手段と、間取りに関する情報を入力する間取り情報入力手段と、部屋に用いられる商品の商品情報を記憶する商品情報記憶手段と、前記基本情報入力手段から入力された基本情報および前記間取り情報入力手段から入力された間取り情報に基づいて、建物の予算を各部屋に分配し、また各部屋の広さを求め、各部屋ごとに、分配された予算および求められた広さに対応する商品情報を前記商品情報記憶手段から選択する商品選択手段とを具備することを特徴とする。」と訂正する。
　
(2)訂正の目的の適否、新規事項の有無及び特許請求の範囲の拡張・変更の存否
　(a)については、限定を付加するものであるから特許請求の範囲の減縮に該当し、限定を付加する事項は、特許明細書の【００２０】ないし【００２５】及び【００６７】ないし【００７３】に記載されている事項を抽出したものと認められる。
　(b)については、上記(a)の訂正に伴って発明の詳細な説明の記載をこれと対応させようとするものであるから、明りょうでない記載の釈明に該当する。
　したがって、これらの訂正事項は、直接訂正事項として記載されてはいないが訂正対象となっている請求項１を引用している請求項２ないし７も含めて、新規事項を含むものとは認められず、また、実質上特許請求の範囲を拡張するものとも変更するものとも認められない。
　
(3)むすび
　以上のとおり、本件訂正は、特許法第１２０条の４第２項及び同条第３項で準用する同法第１２６条第２項及び第３項の規定に適合するので、本件訂正を認める。
　
３．特許異議の申立てについて
(1)本件発明
　特許第３１０９３８１号の請求項１ないし７に係る発明は、訂正明細書の特許請求の範囲の請求項１ないし７に記載された次のとおりのものである。
「【請求項１】
　建物の予算を含む基本情報を入力する基本情報入力手段と、
　間取りに関する情報を入力する間取り情報入力手段と、
　部屋に用いられる商品の商品情報を記憶する商品情報記憶手段と、
　前記基本情報入力手段から入力された基本情報および前記間取り情報入力手段から入力された間取り情報に基づいて、建物の予算を各部屋に分配し、また各部屋の広さを求め、各部屋ごとに、分配された予算および求められた広さに対応する商品情報を前記商品情報記憶手段から選択する商品選択手段と
　を具備することを特徴とする住宅プランニングシステム。
【請求項２】
　部屋のイメージ情報を記憶する部屋イメージ情報記憶手段と、
　商品のイメージ情報を記憶する商品イメージ情報記憶手段と、
　前記間取り情報入力手段から入力された間取り情報および前記商品選択手段によって選択された商品情報に対応するイメージ情報を、前記部屋イメージ情報記憶手段および商品イメージ情報記憶手段から各々読み出すイメージ情報読出手段と、
　前記イメージ情報読出手段が読み出したイメージ情報に基づき、間取りを構成する各部屋について部屋のイメージ情報および当該部屋に関連する商品のイメージ情報を対応させて印刷する部屋イメージ印刷手段と
　を具備することを特徴とする請求項１記載の住宅プランニングシステム。
【請求項３】
　部屋のイメージ情報を記憶する部屋イメージ情報記憶手段と、
　前記間取り情報入力手段から入力された間取り情報に基づいて間取り図を作成する間取り図作成手段と、
　前記間取り情報に対応する部屋のイメージ情報を前記部屋イメージ情報記憶手段から読み出すイメージ情報読出手段と、
　前記間取り図作成手段が作成した間取り図を印刷するとともに、前記イメージ情報読出手段が読み出したイメージ情報を、該当する部屋に関連付けて当該間取り図の周囲に印刷する間取り図印刷手段と
　を具備することを特徴とする請求項１記載の住宅プランニングシステム。
【請求項４】
　前記間取り情報に基づいて間取り図を作成する間取り図作成手段と、
　前記間取り図作成手段が作成した間取り図を印刷するとともに、前記イメージ読出手段が読み出したイメージ情報を、該当する部屋に関連付けて当該間取り図の周囲に印刷する間取り図印刷手段と
　を具備することを特徴とする請求項２記載の住宅プランニングシステム。
【請求項５】
　部屋のイメージ情報を記憶する部屋イメージ情報記憶手段と、
　商品のイメージ情報を記憶する商品イメージ情報記憶手段と、
　部屋および商品の説明文情報を記憶する説明文情報記憶手段と、
　前記間取り情報入力手段から入力された間取り情報および前記商品選択手段によって選択された商品情報に対応する部屋のイメージ情報、説明文情報および商品のイメージ情報を、前記部屋イメージ情報記憶手段、説明文情報記憶手段および商品イメージ情報記憶手段から読み出し、これらを組み合わせて記録する記録手段とを具備することを特徴とする請求項１記載の住宅プランニングシステム。
【請求項６】
　部屋および商品の説明文情報を記憶する説明文情報記憶手段と、
　前記間取り情報入力手段から入力された間取り情報および前記商品選択手段によって選択された商品情報に対応する部屋のイメージ情報、説明文情報および商品のイメージ情報を、前記部屋イメージ情報記憶手段、説明文情報記憶手段および商品イメージ情報記憶手段から読み出し、これらを組み合わせて記録する記録手段とを具備することを特徴とする請求項２〜４いずれかに記載の住宅プランニングシステム。
【請求項７】
　前記間取り情報入力手段によって入力された間取り情報および前記商品選択手段によって選択された商品情報を転送する送信手段を有し、前記イメージ情報読出手段は、前記送信手段が転送した間取り情報および商品情報に基づいて読出処理を行うことを特徴とする請求項２または３に記載の住宅プランニングシステム。」
　
(2)特許異議の申立ての理由の概要
　特許異議申立人は、本件請求項１ないし２に係る発明は、証拠方法として挙げた本件出願前に出願され本件出願後に出願公開された甲第１号証に記載された発明と同一であるから特許法第２９条の２の規定により、また、本件請求項１ないし７に係る発明は、本件出願日前に頒布された甲第２号証ないし甲第４号証に記載された発明に基づいて当業者が容易に発明をすることができたものであるから同法第２９条第２項の規定により特許を受けることができないものであって、その特許は取り消されるべきものである旨主張している。
　
(3)甲第１号証ないし甲第４号証に記載された発明
ア．特許異議申立人が挙げた甲第１号証ないし甲第４号証は次の通りである。
　甲第１号証：特開平６−１３１３７８号公報
　甲第２号証：特開平５−１５８９５６号公報
　甲第３号証：特開平５−７３６２６号公報
　甲第４号証：日製産業株式会社１９９３年１１月発行　ビジュアル住空間プレゼンテーションシステム　Ｒ−ＳＹＳＴＥＭ
　　
イ．甲第１号証ないし甲第４号証に記載された発明
（ア）甲第１号証
　甲第１号証については、表示している公開公報ではなくその出願（平成４年１０月２１日出願、特願平４−２８３０１４号）の当初に添付された明細書または図面とする。（ちなみに、該公開公報に掲載の明細書・図面は、出願当初のものである。）
　甲第１号証には、建築設計業や内外装工事業など、多種多様な商品をカタログで紹介し販売するところで使用されるプレゼンテーションシステムに関する発明が開示されており、明細書及び図面には次のような記載がある。
（a）【０００１】に、「この発明は、建築設計業や内外装工事業など、多種多様な商品をカタログで紹介し販売するところで使用されるプレゼンテーションシステムに関するものであり、商品提示からプレゼンテーンョンボードの作成と見積書の作成までを一貫して行えるようにしたシステムである。」
（b）【００１４】に、「３はハードディスクからなる記憶装置であり、選択すべき建物の場所を示した場所選択ボード４と、選択された場所のパース図と選択すべき商品の種類を示した商品種類選択ボード５と、商品の種類毎にまとめて商品の画像と価格を一覧表にした商品別一覧表６と、プレゼンテーションボード７と、見積書ボード８を記憶している。」
（c）【００１５】に、「場所選択ボード４は、図２に示すように、カルク表に建物の平面図の画像４ａを貼り付け、選択する部屋名等を書いたラベル４ｂを貼り付けたものである。各ラベル４ｂはワークステーンョン１にマクロ命令するマクロボタンになっており、入力装置２でラベル４ｂの一つを選択して入力すると、マクロ命令が展開されてそのラベル４ｂに対応する別のカルク表からなる商品種類選択ボード５があらわれるようになっている」
（d）【００１６】に、「商品選択ボード５は、図３に示すように、カルク表にバース図等の画像５ａを貼り付け、選択する商品名等を書いたラベル５ｂを貼り付けたものである。各ラベル５ｂはワークステーンョン１にマクロ命令するマクロボタンになっており、入力装置２でラベル５ｂの一つを選択して入力すると、マクロ命令が展開されてそのラベル５ｂに対応する商品別一覧表６があらわれるようになっている。」
（e）【００１７】に、「商品別一覧表６は、選択すべき商品を一覧表にしたものであり、図４及び図４の一部を拡大した図面である図５に示すように、商品のカタログの写真または絵をイメージスキャナ(図示せず)に入力した画像６ａと、単価６ｂ、管理番号６ｃ、品種分類６ｄを表示したカルク表からなるものである。・・・（中略）・・・商品別一覧表６の商品の画像６ａを表示した部分はワークステーンョノ１にマクロ命令するマクロボタンになっており、入力装置２で画像６ａの一つを選択して入力すると、ワークステーション１からその画像の画像番号が後述するビデオディスク装置に出力されるようになっている。」
（f）【００１８】に、「プレゼンテーションボード７は、図６に示すように、カルク表に部屋選択ボード４の平面図の画像４ａを貼り付け、画像４ａから引き出し線をだし、その先に選択された商品の画像６ａを表示できるようにし、該当するフィールド７ａに計算式が入れられている。」
（g）【００１９】に、「見積書ボード８は、図７及び図７の一部を拡大した図面である図８に示すように、選択された商品を検索して表示するようにしたカルク表からなるものであり、画像６ａ、単価６ｂ、数量６ｅを商品別一覧表６から検索して表示できるようになっている。見積書ボード８の下部のフィールド８ａには、購入合計金額が計算されるように計算式が入れられている。」
（h）【００２１】には、システムの動作についての説明があり、その項目(Ａ)〜(Ｏ)に、起動により場所選択ボードの表示→場所選択ボードのラベル４ｂの一つを選択入力→その場所の商品種類選択ボードの表示(図３)→ラベル５ｂの一つを選択入力→商品別一覧表の表示(図４)→家具の画像６ａで入力→画像６ａの画像番号の家具の画像を表示→購入商品の数量入力→以上の処理の繰返し→ブレゼンテーンョンボードの作成か見積書の作成かを選択→プレゼンテーションボードの作成選択によりプレゼンテーションボードが表示され、選択された商品の画像を表示→見積書の作成の選択により見積書ボードを表示→選択された商品の画像、単価、数量を検索して順に表示→合計金額計算表示する過程を経る旨が記載されている。
（i）【００２２】に、「作成されたプレゼンテーションボードや見積書は、希望によりプリンタ装置１０で紙に出力される。尚、資金返済計画表を入れたカルク表を同時に記憶装置３に記憶させておけば、見積書の購入合計金額のフィールド８ａに入れられた金額を取り込みその場で資金返済計画について検討できるようにすることができる。」
（j）【００２３】に、「また、選択すべき商品名を選択したときに、該当する商品が多い場合には、ワークステーンョン１の検索機能により、価格や品種分類等の条件を付けて検索し、別の表を作成し表示することもできる。」
（k）図面として、図１にこの発明のプレゼンテーションシステムの構成図が、図２に場所選択ボードの説明図が、図３に商品種類選択ボードの説明図が、図４に商品別一覧表の説明図が、図５に図４の一部を拡大した説明図が、図６にプレゼンテーションボードの説明図が、図７に見積書ボードの説明図が、図８に図７の一部を拡大した説明図が、図９にこの発明のフローチャートがそれぞれ示され、このうち、上記明細書の記載の理解に資するものとして特に、図２には１階平面図と、ラベル４ｂとして「２階へ」、「リビング」、「キッチン」等が、図３には、リビングのイメージ図が示され、ラベル５ｂとして、「床材」、「寝具」、「その他」、「イメージ」等が、図５には画像６ａとしてソファが示されている。
　
（イ）甲第２号証
　甲第２号証には、家具および／または建材の画像情報をホストで蓄積し、これを端末で検索することにより必要な家具および／または建材の情報を得ることができる家具／建材情報検索システムに関する発明が開示されており、明細書及び図面には次のような記載がある。
（a）【００２０】に、「本実施例のシステムは、商品情報の蓄積、管理および送出を行うホスト装置１００と、ホスト装置１００に対して目的の商品情報の検索操作を行う検索端末３００および入力・検索端末４００と、各検索端末３００および入力・検索端末４００をホスト装置１００に接続する伝送路を構成するＩＳＤＮディジタル回線２００と、ホスト装置１００に対して、提供する商品情報を入力するための情報作成装置５００とを備える。」
（b）【００２１】に、「ホスト装置１００は、図２に示すように、家具および建材についての商品情報を蓄積すると共に検索処理を行う画像データベースとして機能する情報処理部１１０と、伝送路を介して端末との間で通信を行うための通信制御部１２０と、ディジタル回線制御装置１３０とを備える。」
（c）【００２２】に、「情報処理部１１０は、データの格納、検索、出力、演算等の各種処理を実行する中央処理部１１１と、主記憶部１１２と、固定ディスク制御部１１３と、情報処理部１１０に対して会話的に入力を行うための会話制御部１１４と、情報処理部１１０に情報の入出力を行う情報入出力部１１５と、商品情報等の蓄積をおこなう情報蓄積部１１６とを備える。」
（d）【００２４】に、「検索端末３００は、ワークステーション等のコンピュータシステムで構成され、例えば、図３に示すように、情報処理を行う本体部３１０と、ディスプレイモニタ３１１と、キーボード３１３と、ハードコピー装置３１４とを備える。」
（e）【００２８】に、「上記情報蓄積部１１６には、家具および／または建材のカラー画像および各商品の属性を示す属性データを少なくとも含む商品情報と、各商品ごとに付された商品コードとが格納されている。家具および／または建材のカラー画像は、例えば、カタログの写真等を撮影することにより得られる。
属性情報は、商品を特定する商品番号、商品の仕様を示す情報、および、商品の価格のうち、少なくとも１種を含む情報である。」
（f）【００４８】に、「検索に際しては、例えば、図７に示すように、１から８までの各検索キーを指定することができる。すなわち、１から８までの各検索キーから、顧客の希望に応じて、幾つかの検索キーを検索条件として、検索端末３００で指定して、検索を実行することができる。検索は、１から８までの各検索キーを指定して、行うこともできるが、まず、候補を挙げ、この中から最終的に商品を決定することができる。検索１から４までは、商品の候補を決定するキーである。そこで、検索１から４までの検索キーの指定をまず行なう。」
（g）【００４９】に、「これらのキーの指定は、上述した表１から５に記載されているコード群の中から、それぞれ目的のコードを選び、これを端末３００に入力することにより行な得る。この場合、１から４の検索キーの一部のみを指定して入力してもよい。指定されなかった検索キーについては、検索が行なわれない。」
（h）【００３０】ないし【００３９】の表中、表１、表２には０１〜９９まで分類した家具区分表、表３にはモダンタイプ、クラシックタイプ等の家具のタイプ区分表、表４には価格帯で表した家具のクラス区分表、表５には家具のサイズ区分表が示されている。
（i）【００５０】に、「検索条件を入力した後、検索の実行を指令すると、検索端末３００は、まず、当該端末３００をＩＳＤＮ２００を介してホスト装置１００と接続する。そして、検索指令と、設定された検索キーと、当該端末を示す識別記号とをホスト装置１００に送る。」
（j）【００５１】に、「ホスト装置１００では、通信制御部１２０が、この検索指令等の情報を受けとって、情報処理部１１０に渡す。情報処理部１１０では、受け取った指令を解読して、検索指令であることを知ると、予め定めた順で検索キーについて、検索を実行する。」
（k）【００５２】に、「検索が終了すると、ホスト装置１００は、検索キーに対応するコードを有する商品情報群が、主記憶部１１２から、要求元の検索端末３００に送られる。送られた情報は、検索端末３００のディスプレイモニ夕３１１に表示される。」
（l）【００５８】に、「上記した検索は、商品を特定して行う例であるが、商品を特定せず、リビングルーム、オフィス等のように、あるまとまりで検索することもできる。図１３にその一例を示す。」
（m）【００５９】に、「この場合、ホスト装置の画像データベースは、個別の家具および建材についての商品情報の他、例えば、図１３(ｂ)に示すような、複数種が特定の空間に配置される状態を示す家具および建材の集合ごとのカラー画像を、目的画面として蓄積する。家具および建材の集合としては、例えば、リビングルーム、ダイニングルーム、役員室等が挙げられる。」
（n）【００６０】に、「検索は、図１３(ａ)に示すように、まず、家具区分の指定においては、家具の集合である、例えば、リビングルームを指定することにより開始される。上記したように、複数の候補が一覧表示される。ここで目的の商品群を選択すると、同図(ｂ)に示す画面が表示される。そして、さらに次の画面を表示させると、ここでは、図１３(ｂ)に示されるが目(画面の誤記？)において、家具および建材のそれぞれに対応して、それぞれの商品コードが表示される。操作者は、表示されている商品コードをキーボードから入力することにより、目的の商品についての画面を得ることができる。なお、同図(ｂ)の画面において、タッチパネルにより、商品を選択できるようにしてもよい。」
（o）【００６１】に、「このようにして、決定された家具については、ハードコピー装置３１４で、カラー画像および属性情報を含むハードコピーを出力することができる。」
（p）図面として、図１〜図１４に、構成を示すブロック図や実施例の説明図、検索動作の流れを示すフローチャートなどが記載されている。
　
（ウ）甲第３号証
　甲第３号証には、過去に設計した個々の住宅における敷地面積とその形状、および建物の床面積、間口や奥行き等の寸法、居室数、各居室の広さなどの各種設計データと、この設計データに対応した間取り図とをパターン化したものを、多数登録して集積しておき、ユーザーのニーズに応じて、床面積、居室数等の希望条件を検索項目として入力することにより、このユーザーのニーズを満たす住宅設計プランの検索方法に関する発明が開示されており、明細書には次のような記載がある。
（a）【０００３】に、「ユーザーから住宅設計の依頼があった際には、設計者は、ユーザーの予算やニーズに応じて、床面積、居室数等の希望条件を割り出し、これらの希望条件に基づいて、前記基本ユニットの組み合わせを適宜調整することで、住宅の各居室の広さや間取り等を決め、ユーザーの希望に最も適合した住宅設計を進めていく。」
（b）【０００９】に、「住宅設計プランの検索を実際に行うに先立ち、通常より、過去に既に行われた住宅設計プランニングの設計データと、この設計データに対応した間取り図とをパターン化したものを、随時、コンピュータに整理して登録しておく。」
（c）【００１３】に、「設計者は、ユーザーの予算、建設用土地の建ぺい率などの建築条件、またユーザーが希望する居室数などを詳しく聞く。敷地面積と形状、建ぺい率から、建物の最大間口、奥行等の広さ、およびその方位が決まり、さらに予算から建坪数(床面積)が決まる。」
　
（エ）甲第４号証
　甲第４号証には、建てる前の空間を立体画像でユーザーに対して提示し、販売促進を図るためのＲ-ＳＹＳＴＥＭ　Ｖｅｒ５.０が紹介されており、裏表紙には、平面間取り図の周囲に引き出し線で各部位の商品のイメージ情報が表示されることが示されている。
　
(4)判断
　本件請求項１に係る発明は、住宅プランニングシステムにおける商品選択手段の対象の商品情報が、基本情報入力手段から入力された基本情報および前記間取り情報入力手段から入力された間取り情報に基づいて、建物の予算を各部屋に分配し、また各部屋の広さを求め、各部屋ごとに、分配された予算および求められた広さに対応するようにしたものであるのに対して、甲第１号証並びに甲第２号証ないし甲第４号証には、このようなことを明示する記載も示唆する記載も見あたらない。
　すなわち、甲第１号証に記載されたものは、住宅などの間取りから設計することを想定したものではなく、部屋毎に客の希望する仕様のその部屋に使用する商品を選択できるようにしてその見積書などを作成できるようにしたものであって、本件請求項１に記載の発明に相当する技術の開示は見あたらないから、甲第１号証に本件請求項１に記載の発明が記載されているとはいうことができない。
　甲第２号証のものは、家具／建材販売システムに関するもので、販売代理店毎に多くの商品カタログや商品見本を準備しておくことなく、簡単な検索操作で顧客が必要とする家具を検索して、その画像及び付帯説明を入手できるようにしたものであって、建材については大理石とタイルの例が示されているだけで家具について多くの例が示され、検索の手順も家具について説明されていることからも分かるように、既に間取りなどが決まった住宅に置く家具などの商品を選択するためのシステムであって、本件請求項１に係る発明のように、各部屋の間取りからプランニングして、プランニングした部屋に予算を割り振ることについては甲第２号証にこれを示唆するような記載も見あたらない。
　甲第３号証のものは、ユーザーのニーズに対応した住宅設計プラニングをするために、過去に設計した住宅設計プランのうちからユーザーのニーズに合うものを検索して住宅設計を進めることを指向したものであり、ユーザーの予算、敷地面積、希望する床面積や間取り等に基づいてそれに合致する過去に設計した住宅設計プランを検索するものであって、間取りを決めることに主眼が置かれており、間取りで決められた部屋に割り振られる予算内での部屋の広さも考慮した商品を選択することについては、甲第３号証にこれを示唆するような記載は見あたらない。
　甲第４号証のものは、建てる前の客が希望した住設、家具等を住空間に配置した状態の立体映像を提示できるようにしたシステムであることは理解できるが、システムが技術的にみてどのようになっているかについては甲第４号証に記載されておらず、すくなくとも広さも含めた間取りに応じた予算の分配に関することについては掲載されている写真内容も含めて配慮しているとは認められない。
　したがって、甲第２号証ないし甲第４号証に記載された発明それぞれのみからは言うまでもなくこれらをどのように組み合わせても、本件請求項１に係る発明の、住宅プランニングシステムにおける商品選択手段の対象の商品情報が、基本情報入力手段から入力された基本情報および前記間取り情報入力手段から入力された間取り情報に基づいて、建物の予算を各部屋に分配し、また各部屋の広さを求め、各部屋ごとに、分配された予算および求められた広さに対応するようにするという着想に至らないから、本件請求項１に係る発明を甲第２号証ないし甲第４号証に記載された発明から容易に発明をすることができたものとはいうことができない。
　また、本件請求項２ないし７に係る各発明は、すべて最終的に請求項１に係る発明に限定が付加されたものに相当するから、甲第１号証に記載されたものと同一であるとも、甲第２号証ないし甲第４号証に記載された発明から容易に発明をすることができたものともいうことができないことは明らかである。
　
(5)むすび
　以上のとおり、特許異議申立の理由及び証拠によっては、本件請求項１ないし７に係る発明の特許を取り消すことができない。
　また、他に本件請求項１ないし７に係る発明の特許を取り消すべき理由を発見しない。
　よって、結論のとおり決定する。
【異議決定日】
平成１３年１２月１８日（２００１．１２．１８）
【訂正の要旨】
（ａ）「【請求項１】予算を含む基本情報を入力する基本情報入力手段と、
　間取りに関する情報を入力する間取り情報入力手段と、
　部屋に用いられる商品の商品情報を記憶する商品情報記憶手段と、
　前記基本情報入力手段から入力された基本情報および前記間取り情報入力手段から入力された間取り情報に対応する商品情報を前記商品情報記憶手段から選択する商品選択手段とを具備することを特徴とする住宅プランニングシステム。」を、特許請求の範囲の減縮を目的として、
　「【請求項１】
建物の
に基づいて、建物の予算を各部屋に分配し．また各部屋の広さを求め、各部屋ごとに、分配された予算および求められた広さ
　（ｂ）「【０００６】
　【課題を解決するための手段】上記課題を解決するために、請求項１に記載の発明においては、予算を含む基本情報を入力する基本情報入力手段と、間取りに関する情報を入力する間取り情報入力手段と、部屋に用いられる商品の商品情報を記憶する商品情報記憶手段と、前記基本情報入力手段から入力された基本情報および前記間取り情報入力手段から入力された間取り情報に対応する商品情報を前記商品情報記憶手段から選択する商品選択手段とを具備することを特徴とする。」を、明りょうでない記載の釈明を目的として、
「【０００６】
　【課題を解決するための手段】上記課題を解決するために、請求項１に記載の発明においては、建物の予算を含む基本情報を入力する基本情報入力手段と、間取りに関する情報を入力する間取り情報入力手段と、部屋に用いられる商品の商品情報を記憶する商品情報記憶手段と、前記基本情報入力手段から入力された基本情報および前記間取り情報入力手段から入力された間取り情報に基づいて、建物の予算を各部屋に分配し、また各部屋の広さを求め、各部屋ごとに、分配された予算および求められた広さに対応する商品情報を前記商品情報記憶手段から選択する商品選択手段とを具備することを特徴とする。」と訂正する。
（５４）【発明の名称】
住宅プランニングシステム
（５７）【特許請求の範囲】
　【請求項１】
　
建物の
　間取りに関する情報を入力する間取り情報入力手段と、
　部屋に用いられる商品の商品情報を記憶する商品情報記憶手段と、
　前記基本情報入力手段から入力された基本情報および前記間取り情報入力手段から入力された間取り情報
に基づいて、建物の予算を各部屋に分配し、また各部屋の広さを求め、各部屋ごとに、分配された予算および求められた広さ
　を具備することを特徴とする住宅プランニングシステム。
　【請求項２】
　部屋のイメージ情報を記憶する部屋イメージ情報記憶手段と、
　商品のイメージ情報を記憶する商品イメージ情報記憶手段と、
　前記間取り情報入力手段から入力された間取り情報および前記商品選択手段によって選択された商品情報に対応するイメージ情報を、前記部屋イメージ情報記憶手段および商品イメージ情報記憶手段から各々読み出すイメージ情報読出手段と、
　前記イメージ情報読出手段が読み出したイメージ情報に基づき、間取りを構成する各部屋について部屋のイメージ情報および当該部屋に関連する商品のイメージ情報を対応させて印刷する部屋イメージ印刷手段と
　を具備することを特徴とする請求項１記載の住宅プランニングシステム。
　【請求項３】
　部屋のイメージ情報を記憶する部屋イメージ情報記憶手段と、
　前記間取り情報入力手段から入力された間取り情報に基づいて間取り図を作成する間取り図作成手段と、
　前記間取り情報に対応する部屋のイメージ情報を前記部屋イメージ情報記憶手段から読み出すイメージ情報読出手段と、
　前記間取り図作成手段が作成した間取り図を印刷するとともに、前記イメージ情報読出手段が読み出したイメージ情報を、該当する部屋に関連付けて当該間取り図の周囲に印刷する間取り図印刷手段と
　を具備することを特徴とする請求項１記載の住宅プランニングシステム。
　【請求項４】
　前記間取り情報に基づいて間取り図を作成する間取り図作成手段と、
　前記間取り図作成手段が作成した間取り図を印刷するとともに、前記イメージ読出手段が読み出したイメージ情報を、該当する部屋に関連付けて当該間取り図の周囲に印刷する間取り図印刷手段と
　を具備することを特徴とする請求項２記載の住宅プランニングシステム。
　【請求項５】
　部屋のイメージ情報を記憶する部屋イメージ情報記憶手段と、
　商品のイメージ情報を記憶する商品イメージ情報記憶手段と、
　部屋および商品の説明文情報を記憶する説明文情報記憶手段と、
　前記間取り情報入力手段から入力された間取り情報および前記商品選択手段によって選択された商品情報に対応する部屋のイメージ情報、説明文情報および商品のイメージ情報を、前記部屋イメージ情報記憶手段、説明文情報記憶手段および商品イメージ情報記憶手段から読み出し、これらを組み合わせて記録する記録手段とを具備することを特徴とする請求項１記載の住宅プランニングシステム。
　【請求項６】
　部屋および商品の説明文情報を記憶する説明文情報記憶手段と、
　前記間取り情報入力手段から入力された間取り情報および前記商品選択手段によって選択された商品情報に対応する部屋のイメージ情報、説明文情報および商品のイメージ情報を、前記部屋イメージ情報記憶手段、説明文情報記憶手段および商品イメージ情報記憶手段から読み出し、これらを組み合わせて記録する記録手段とを具備することを特徴とする請求項２〜４いずれかに記載の住宅プランニングシステム。
　【請求項７】
　前記間取り情報入力手段によって入力された間取り情報および前記商品選択手段によって選択された商品情報を転送する送信手段を有し、前記イメージ情報読出手段は、前記送信手段が転送した間取り情報および商品情報に基づいて読出処理を行うことを特徴とする請求項２または３に記載の住宅プランニングシステム。
【発明の詳細な説明】
　【０００１】
　【産業上の利用分野】
　この発明は、住宅を設計する際に用いて好適な住宅プランニングシステムに関する。
　【０００２】
　【従来の技術】
　住宅を設計する際、一般には、依頼主が工務店や設計士（施工側）に各種希望を述べ、この後に施工側は依頼者の希望に沿った設計を行う。この場合、施工側は、各部屋の床材や壁材、あるいは屋根、外壁、その他の部材などを間取りや予算に応じて決め、これを依頼主に提案して了解を求める。
　【０００３】
　【発明が解決しようとする課題】
　ところで、施工側が依頼主に提案する方法は、各部屋の床や壁などの部材を、個別のカタログ集などを提示して逐一示す方法が一般的である。また、間取りを示す図を中央に配置し、各部屋のイメージ写真をその周囲に配置した図面（図３４参照）を作成し、これを依頼主に示す方法もある。
　【０００４】
　しかしながら、前者の方法では、壁や床などの部材が個々に提示されるため全体のイメージがつかみ難いという問題があった。また、後者の方法では、間取り図とともに各部屋の写真が提示されるため、全体的なイメージがつかみ易いという利点があるものの、膨大なカタログ集の中から条件に合うものを探し出し、しかも、その写真を切り貼りするという作業が必要なため、極めて手数や時間がかかるとともに、切り貼りに使用したカタログは以後使用できなくなるため、補充が必要になるという問題があった。したがって、この方法は、比較的規模の大きな営業所において、限られた顧客に対して行われる程度であり、多くの顧客に提供できるサービスではなかった。
　【０００５】
　この発明は、上述した事情に鑑みてなされたもので、顧客の希望や条件に応じた住宅プランを素早く的確に提示することができる住宅プランニングシステムを提供することを目的としている。
　【０００６】
　【課題を解決するための手段】
　上記課題を解決するために、請求項１に記載の発明においては、
建物の
　間取りに関する情報を入力する間取り情報入力手段と、
　部屋に用いられる商品の商品情報を記憶する商品情報記憶手段と、
　前記基本情報入力手段から入力された基本情報および前記間取り情報入力手段から入力された間取り情報
に基づいて、建物の予算を各部屋に分配し、また各部屋の広さを求め、各部屋ごとに、分配された予算および求められた広さ
　を具備することを特徴とする。
　【０００７】
　また、請求項２に記載の発明においては、部屋のイメージ情報を記憶する部屋イメージ情報記憶手段と、商品のイメージ情報を記憶する商品イメージ情報記憶手段と、前記間取り情報入力手段から入力された間取り情報および前記商品選択手段によって選択された商品情報に対応するイメージ情報を、前記部屋イメージ情報記憶手段および商品イメージ情報記憶手段から各々読み出すイメージ情報読出手段と、前記イメージ情報読出手段が読み出したイメージ情報に基づき、間取りを構成する各部屋について部屋のイメージ情報および当該部屋に関連する商品のイメージ情報を対応させて印刷する部屋イメージ印刷手段とを具備することを特徴とする。
　【０００８】
　また、請求項３に記載の発明においては、部屋のイメージ情報を記憶する部屋イメージ情報記憶手段と、前記間取り情報入力手段から入力された間取り情報に基づいて間取り図を作成する間取り図作成手段と、前記間取り情報に対応する部屋のイメージ情報を前記部屋イメージ情報記憶手段から読み出すイメージ情報読出手段と、前記間取り図作成手段が作成した間取り図を印刷するとともに、前記イメージ情報読出手段が読み出したイメージ情報を、該当する部屋に関連付けて当該間取り図の周囲に印刷する間取り図印刷手段とを具備することを特徴とする。
　【０００９】
　請求項４に記載の発明においては、請求項２記載の住宅プランニングシステムにおいて、前記間取り情報に基づいて間取り図を作成する間取り図作成手段と、前記間取り図作成手段が作成した間取り図を印刷するとともに、前記イメージ読出手段が読み出したイメージ情報を、該当する部屋に関連付けて当該間取り図の周囲に印刷する間取り図印刷手段とを具備することを特徴とする。
　【００１０】
　請求項５に記載の発明においては、請求項１記載の発明において、部屋のイメージ情報を記憶する部屋イメージ情報記憶手段と、商品のイメージ情報を記憶する商品イメージ情報記憶手段と、部屋および商品の案内情報を記憶する案内情報記憶手段と、前記間取り情報入力手段から入力された間取り情報および前記商品選択手段によって選択された商品情報に対応する部屋のイメージ情報、案内情報および商品のイメージ情報を、前記部屋イメージ情報記憶手段、案内情報記憶手段および商品イメージ情報記憶手段から読み出し、これらを組み合わせて当該部屋のカタログ情報を作成するパーソナルカタログ作成手段とを具備することを特徴とする。
　【００１１】
　請求項６記載の発明においては、部屋および商品の案内情報を記憶する案内情報記憶手段と、前記間取り情報入力手段から入力された間取り情報および前記商品選択手段によって選択された商品情報に対応する部屋のイメージ情報、案内情報および商品のイメージ情報を、前記部屋イメージ情報記憶手段、案内情報記憶手段および商品イメージ情報記憶手段から読み出し、これらを組み合わせて当該部屋のカタログ情報を作成するパーソナルカタログ作成手段とを具備することを特徴とする。
　【００１２】
　請求項７記載の発明におていは、請求項２または３に記載の住宅プランニングシステムにおいて、前記間取り情報入力手段によって入力された間取り情報および前記商品選択手段によって選択された商品情報を転送する送信手段を有し、前記イメージ情報読出手段は、前記送信手段が転送した間取り情報および商品情報に基づいて読出処理を行うことを特徴とする。
　【００１３】
　【作用】
　請求項１〜７に記載の発明においては、入力された予算と間取りに応じて各部屋に応じた商品が選択される。
　さらに、請求項２に記載の発明においては、入力された間取り情報に対応した部屋のイメージおよび選択された商品に対応した商品イメージが部屋イメージ印刷手段によって印刷される。
　【００１４】
　また、請求項３、４に記載の発明においては、間取り図の回りに部屋や商品のイメージが印刷される。さらに、請求項５，６に記載の発明においては、部屋や商品のイメージ情報を用いてパーソナルカタログが作成される。
　また、請求項７に記載の発明においては、間取り情報入力手段および商品選択手段が送信手段を介してイメージ情報読出手段に接続される。
　【００１５】
　【実施例】
Ａ：実施例の構成
　次に、図面を参照してこの発明の実施例について説明する。
　図１は、この発明の一実施例の構成を示すブロック図である。図において、１はマルチメディアプレーヤであり、図２に示すような構成になっている。図２において、２は各部を制御するＣＰＵ、３はワークエリア等が設定されているＲＡＭ、４は基本的なプログラムが記憶されているＲＯＭである。５は画像処理部であり、ビデオＲＡＭやグラフィックス用のプロセッサを有し、各種画像信号を作成する。この画像処理部５が作成したビデオ信号は、テレビ２０（図１参照）に出力されるようになっている。６はＣＤ−ＲＯＭドライバであり、ＣＤ−ＲＯＭ７から画像データやプログラムデータ（アプリケーション）の読み取りを行う。本発明に関するプログラムおよび各種データ（後述するテーブルや画像データ等）は、ＣＤ−ＲＯＭ７に記憶されている。次に、８は操作部であり、その出力信号は、インターフェイス９を介してＣＰＵ２に供給されるようになっている。また、１１は外部機器と通信を行う際に用いられる送信部である。
　【００１６】
　ここで、図３は、操作部８の詳細を示す平面図である。この図に示すＡ、Ｂ、Ｃは各々ボタンであり、データの確定や選択などの指示を行う際に使用される。また、方向キーＣＳＷは、カーソルやアクティブ表示部分などを上下左右に動かす際に用いられる。
　【００１７】
　なお、マルチメディアプレーヤ１としては、複数の媒体との間でデータの授受が行えるように構成されたパーソナルコンピュータや家庭用ゲームコンピュータを用いることができる。家庭用ゲームコンピュータとしては、例えば、松下電器産業株式会社製の３次元表示が可能なゲームコンピュータ「Ｒ・Ｅ・Ａ・Ｌ（リアル）」（登録商標）などを用いることができる。
　【００１８】
　次に、図１に示す２１はビデオプレーヤであり、マルチメディアプレーヤ１が出力するビデオ信号をＶＨＳビデオテープ２２に録画する。なお、テレビ２０にビデオ信号のアウトプット端子がある場合には、ここから出力されるビデオ信号を録画してもよい。
　【００１９】
　３０はワークステーションであり、通信回線を介して供給されるマルチメディアプレーヤ１の出力データに基づいて文字画像データベース３１内のデータを読出し、これをカラープリンタ３２に印刷する。また、４０はワークステーションであり、ワークステーション３０の出力データに基づいて文字画像データベース４１内のデータを読出し、これをカラープリンタ４２に印刷する。カラープリンタ３２、４２の各々の出力形態については後述する。
　【００２０】
Ｂ：実施例の動作
　次に、上述した構成によるこの実施例の動作を、各種処理別に説明する。
▲１▼基本情報入力処理
　マルチメディアプレーヤ１に電源を投入し、ＣＤ−ＲＯＭ７を挿入すると、テレビ２０には図４（ａ）に示す画面が表示される。この画面を構成する画像データは、ＣＤ−ＲＯＭ７から読み出されたものである。以下における画面についても同様である。
　【００２１】
　図４（ａ）に示す画面においては、まず、「１、基本情報入力に進む」「２、間取り図を作ってみる」「３、最新インテリア集を見る」の項目が示されており、これらのいずれかかがアクティブ表示（反転表示、背景色表示等他の項目と区別するための表示、あるいはポインタ表示、以後、ポインタと記すこともある）になっている。ここで、操作部８の方向キーＣＳＷを操作することにより、アクティブ表示になる項目が順次切り替わる。そして、「１、基本情報入力に進む」が選択された状態で、ボタンＢを押すと、基本情報入力処理が開始され、同図（ｂ）に示す画面が表示される。
　【００２２】
　この画面では、「お名前」、「年齢」、「電話番号」の各欄に該当する文字またはアルファベットの入力が促される。また、画面の下部には、アルファベット、数字および「取消」の文字等が表示されており、顧客は、方向キーＣＳＷを操作してポインタを移動させ、該当する文字のところで所定のボタン（例えば、ボタンＡ）を押すと、その文字が入力される。このとき、ＣＤ−ＲＯＭ７から読み出された音声データに基づく案内音声、例えば、「まず、お名前からお教え下さい。」等が発音される。
　【００２３】
　所定事項の入力が終了した場合は、ボタンＢを押す。このボタンＢが押されると、入力された名前、年齢、電話番号の各データがＲＡＭ３内に格納されるとともに、ＣＤ−ＲＯＭ７から新たな画像データが読み出され、テレビ２０には図４（ｃ）に示す表示がなされる。この画面では、家族構成の入力が促される。顧客は、「大人」、「お年寄り」、「お子様」の各欄における「男性」、「女性」の部分にポインタを移動させ、所定のボタン（例えば、ボタンＡ）を押す。この結果、該当する家族を示すイラストアイコンが対応する欄に表示される。図示の例では、「大人」の男女が各１名、「お年寄り」の男女が各１名、「お子様」の男が１名、女が２名、それぞれ入力された状態を示している。また、画面表示とともに、「お客様の家族構成をお教え下さい。」等の案内メッセージが発音される。
　【００２４】
　家族構成の入力が終了した場合は、前述の場合と同様にしてボタンＢを押す。これにより、家族構成に関するデータがＲＡＭ３内に格納されるとともに、次の画面データがＣＤ−ＲＯＭ７から読み出され、図５（ａ）に示すように表示される。
　【００２５】
　この図に示す画面では、予算の入力が促される。そして、「ご計画中の建物のご予算を概算でお教え下さい。」等の案内音声が発音される。また、画面には、１０００万円、５００万円、１００万円の札束を示すアイコンが表示されており、ポインタを所望のアイコンに移動させてスイッチＡを押すと、同じアイコンが対応する表示欄に表示される。図示の例では、それぞれの表示欄に、１０００万円のアイコンが２個、５００万円のアイコンが１個、１００万円のアイコンが２個表示され、画面中央部の「ご予算」の欄には、その合計金額である２７００万円が数字によって表示されている。この場合、予算の入力が数字ではなくアイコンの選択によって行われるので、抵抗感がなく操作が行える。
　【００２６】
　合計金額の計算は、ＣＰＵ２が操作部８の操作を検出して行い、その結果が画像処理部５に送られることにより、図５（ａ）に示すような数値の表示がなされる。この画面における入力が終了してボタンＢを押すと、「ご予算」の額がＲＡＭ３に記憶されるとともに、ＣＤ−ＲＯＭ７から次の画面の画像データが読み出され、図５（ｂ）のように表示される。ここで、「ご予算」、「お名前」、「年齢」、「電話番号」、「家族構成」の各欄の表示は、ＲＡＭ３に格納されたデータに基づいて行われる。この画面が表示されると、「ご確認下さい。よろしければ確認ボタンをどうぞ。ボタンＢで前の画面に戻ります。」の音声が発音される。
　【００２７】
　そして、ボタンＢを押す毎に、順次前の画面に戻ることができるので、表示内容に誤りがあれば、該当する画面に戻って訂正を行うことができる。一方、表示内容に誤りがなければ、画面右上部に表示されている「確認」の部分にポインタを移動させてＡボタンを押す。この結果、ＣＤ−ＲＯＭ７から次の画面の画像データが読み出され、図５（ｃ）に示す画面が表示される。この画面においては、画面右側に和のイメージを感じさせる木目調のドアが表示され、左側に洋のイメージを感じさせるオフホワイト調のドアが表示されている。そして、「最適なインテリアコーディネートをご提案する為にお客様のライフスタイルイメージをお教え下さい。ご覧の写真のうちお好みの生活シーンに近いものはどれすか」という音声が発せられる。顧客は、いずれかにポインタを移し、ボタンＡを押す。この選択情報は、ＲＡＭ３に蓄えられる。
　【００２８】
　次に、図６（ａ）に示すように、単色のモダン調の食器と柄のあるクラシック調の食器の写真が表示される。この場合、「食器のデザインなら、どちらのイメージがお好みに近いですか？」という音声が発音される。上述の場合と同様にしていずれか一方を選択すると、その選択情報がＲＡＭ３に記憶され、次に、図６（ｂ）に示す表示がなされる。
　【００２９】
　この画面においては、デザイン調の異なる椅子が４個表示される。そして、「椅子のデザインを選ぶとするとこの写真のうちのどのタイプですか？」という音声が発せられ、その選択が促される。顧客がいずれかを選択すると、その選択情報はＲＡＭ３に記憶される。ここで、図５（ｃ）、図６（ａ）、図６（ｂ）における選択データは、顧客の嗜好を示す情報になる。特に、部屋、家具、食器等は統一されたイメージによるシリーズとして製造されることが多いので、これらの嗜好情報は、後述する部屋のデザインや家具の選択において重要な情報となる。
　【００３０】
▲２▼間取り図作成モード
（イ）作成処理
　図６（ｂ）に示す家具の選択が終了すると、図６（ｃ）に示す表示が行われ、さらに、「お客様がご計画中の建物の間取りは決定しておられますか？ご検討中の場合は「ＮＯ」を選択し、延床面積を入力して下さい。サンプル間取りをご提案します。」なる音声が発せられる。
　【００３１】
　そして、顧客が、「ＮＯ」を選択すると、床面積の入力が可能な状態になり、画面下部に表示されている数値をポインタによって選択して床面積の入力を行う。図示の例では、「２５０Ｈｍ」と表示されている。この場合、数値入力ではなく、２ＤＫや４ＬＤＫのような部屋構成を入力するようにしてもよい。そして、この入力がなされると、サンプル間取りが表示される（後述する変形例の▲２▼）。
　【００３２】
　一方、図６（ｃ）の画面で「ＯＫ」が選択されると、テレビ２０には図７に示すようなグリッドが表示される。このグリッドは、詳細には図８に示すように十字の形状をしており、一定間隔でマトリックス状に配置されている。また、４つのグリッドで囲まれる範囲（図のＣ参照）を以下においてセルという。この実施例の場合は、各セルの大きさ畳半畳分に対応している。
　【００３３】
　図７に示すグリッドが表示されている状態において、ボタンＡを押すと図９（ｂ）に示す部屋パレットが表示され、再びボタンＡを押すと図９（ｃ）に示す壁パレットが表示され、もう一度ボタンＡを押すと図９（ａ）に示すフロアパレットが表示される。そして、この状態で再度ボタンＡを押すとグリッドだけの表示になる。このように、ボタンＡを押す毎に、部屋パレット→壁パレット→フロアパレット→グリッドのみ、という順序で切り換えが行われる。部屋パレットは、間取りを行う際の部屋の種類を指定するためのパレット、壁パレットは壁の種類を指定するためのパレットであり、フロアパレットは間取り設計を行う階を指定するパレットである。
　【００３４】
　ここで、各パレットの選択が行われると、該当するものが画面上部から降下し、所定の位置に表示されるようになっている。一例として、図１０（ｂ）に床パレットの表示位置を示すが、他のパレットもほぼ同様の位置に表示される。また、図１０（ｂ）は、後述する間取り図に、床パレットが重ねて表示された状態を示している。
　【００３５】
　次に、間取りの作成手順について説明する。はじめに、フロアパレットを表示させ、間取りを作成する階を指定する。ここで、図１０（ａ）は、フロアパレットにおいて「３Ｆ」が選択された場合の画面を示しており、図示のように画面左上に「Ｌａｙｏｕｔ　Ｐｌａｎ」の文字が表示され、画面右下に「Ｆｌｏｏｒ３」の文字が表示される。図１０（ａ）の中央部に表示されているのはポインタであり、人の手が筆記具を持っている形状になっている。また、このポインタは、各モード（床面、壁面、取消など）によって形状を異ならせてもよい。
　【００３６】
　フロアを指定した後に、ポインタが示すセルを選択すると図１１に示すようにセル単位で塗りつぶしが行われる。この場合のセルの選択は、例えば、ボタンＡを押すことによって行われ、また、塗りつぶしは仮塗りを示す所定の模様によって行われる。なお、仮塗りを先に行い、その後にフロアを指定することもできる。
　【００３７】
　次に、部屋パレット（図９（ｂ）参照）を表示させ、いずれかの部屋名を選択する。選択は、ポインタを所望の部屋名に移動させた後に、例えば、ボタンＡを押すことによって行われる。この結果、仮塗りが行われた部分は、選択された部屋名として認識され、その部屋に応じた表示に切り替わる。また、部屋パレットにある部屋名は、図９（ｂ）に示すように、リビング、ダイニング、キッチン、和室、洋室、洗面所、トイレ、廊下、寝室書斎、バスなどがあり、各部屋名毎に色や模様が異なったボタンとして表示される。
　【００３８】
　以上のようにして、リビング、廊下、階段、玄関、あるいはトイレなどの位置と大きさを仮塗りによって設定し、その後に部屋パレットを表示させて、所望の部屋名を選択すると、仮塗りした部分がその部屋として表示される。すなわち、部屋の名称が表示されるとともに、その部屋に応じた模様や色による表示がなされる。ここで、図１２に部屋名の選択がいくつか行われた場合の表示例を示す。この図に示す状態では、間取りの左端部分に仮塗りが行われている。以上の部屋名設定処理がなされた状態では、各部屋はその周囲が全て壁で囲まれ、壁は黒い線によって表示されている。
　【００３９】
　次に、一度設定した部屋を取り消す場合について説明する。この場合は、方向キーＣＳＷを操作して、取り消そうと思う部屋をポインタで指定し、次に、部屋パレットを表示させて「取り消し」を選択する。この結果、当該部屋については仮塗り状態に戻り、再び、いずれかの部屋名を設定可能な状態になる。また、ポインタで指定した部屋が仮塗り状態にあった場合に、部屋パレットの「取り消し」を選択すると、その部屋全部が消去される。また、仮塗り状態にあった場合、ボタンＡを押すとポインタが示すセルのみが消去される。
　【００４０】
　部屋の名称を設定した後は、その部屋の窓、周囲の壁について、ドア、ふすま、ガラス戸、開口部（壁のない部分）を設定する。この設定は、壁パレットを表示し、窓、ドア等を選択して行う。すなわち、図９（ｃ）に示す壁パレットを表示させ、「窓」、「ドア」、「ふすま」、「壁」、「ガラス戸」、「壁をとる」のいずれかを選択する。いずれかの態様が選択されると、ポインタは各グリッドを結ぶ線分を移動するようになる（図１１の破線参照）。この時、画面の左下には、選択した態様、例えば、「窓」の文字が表示される（図示略）。
　【００４１】
　そして、方向キーＣＳＷを操作すると、ポインタはこの線分を指示しながら移動するので、所望の位置にきたときに、ボタンＡを押す。これにより、その部分の壁が選択した態様に置き換えられる。すなわち、窓を選択していれば窓に置き換えられ、窓の表示（例えば、線分の色を水色にする）が行われる。また、設定した窓等を取り消す場合は、壁パレット内の「壁」を選択し、該当する線分を壁に戻せばよい。
　【００４２】
　以上の操作を繰り返すことにより、間取り図が作成される。他の階についても同様の操作によって間取り図を作成することができる。ここで、図１３は、２階部分の間取りを設定した場合の表示例である。また、壁パレットにおける「床」を選択すると、部屋名の設定画面に戻る。以上のようにして、間取り図が完成した場合は、フロアパレットを表示させ、「完成」を選択する。この結果、間取り図の構成に必要なデータがＲＡＭ３に記憶される。すなわち、部屋の位置、形状（大きさ）、名称および壁の状態を示すデータが記憶される。ここで、図１５、図１６は、以上の処理内容を示すフローチャートである。
　【００４３】
（ロ）表示処理
（基本的表示処理）
　次に、上述した作成処理における各部屋の表示処理について説明する。図１７は、部屋名の指定が行われた場合の各セルに対応するコードを示す概念図である。図示の細い実線で囲まれた部分がセルに対応する記憶エリア（ＲＡＭ３内に設定されている）を示し、太い実線が部屋の枠を示している。また、部屋枠内の数値は、部屋名を示すコードである。図１７に示すコードは、単純化のために、一桁の数値で表している。この例の場合は、「１」がキッチン、「２」がダイニング、「３」が廊下を示している。
　【００４４】
　このように、部屋名が指定されると、対応する記憶エリアには、そのコードが書き込まれる。次に、図１８は各部屋の床面のイラスト（模様や色）をセル単位で記憶している素材イラストデータ記憶部ＩＭであり、ＣＤ−ＲＯＭ７内に設定されている。この素材イラストデータ記憶部ＩＭには、例えば、廊下のイラストＰ１，Ｐ２やキッチンのイラストＰ３、ダイニングのイラストＰ４などが記憶され、また、壁のイラストＰ６，Ｐ７なども記憶されている。
　【００４５】
　この場合、廊下のイラストＰ１は板目が横方向に沿っており、Ｐ２は板目が縦方向に沿っている。また、壁のイラストＰ６は縦方向の壁を示し、Ｐ７は横方向の壁を示す。
　【００４６】
　そして、間取りの画像データを作成する場合は、例えば、ダイニングの部屋を構成する各セルにはイラストＰ４のデータを割り当て、キッチンを構成する各セルにはイラストＰ３のデータを割り当てる。このようにして、図１２に示すような表示がなされる。
　【００４７】
　また、廊下のイラストＰ１，Ｐ２のように方向性がある場合は、部屋の形状を矩形の集合に分割してから各イラストデータを割り当てる。分割の仕方は、まず、部屋に内接する最大の矩形を選択する。次いで、部屋の残りの部分について、内接する最大の矩形を選択する。以後、同様にして残りの部分について矩形を選択していき、最後に一つの矩形となったところで終了する。したがって、各部屋の形状が長方形や正方形であれば、分割されずそのままの形状に対してイラストデータの割り当てが行われる。
　【００４８】
　このようにして分割がなされた後に、各矩形の形状に従ってイラストデータの割り当てが行われる。例えば、廊下の場合には、イラストデータの板目が矩形の長手方向沿うものが選択される。一例として、図１７に示す廊下の部分（「３」の部分）は、そもそも横方向に長い矩形であるため、この方向に板目があるデータ、すなわち、図１８に示すイラストデータＰ１が選択され、このデータが各セルに割り当てられる。
　【００４９】
　また、階段については、次のようにしてイラストデータの割り当てが行われる。まず、図１８に示すイラストデータＰ１０、Ｐ１１、Ｐ１２、Ｐ１３は各々階段の曲がり部分のイラストデータであり、これらのイラストデータを適宜用いることにより、どのような曲がり部分でも描画することができる。また、イラストデータＰ１４、Ｐ１５は各々階段の直進部分のイラストデータであり、直進部分が続く場合は、これらが交互に組み合わされる。
　【００５０】
　ここで、図１９は階段部分の描画の一例である。階段を描画する場合は、階段として指定されたセルに隣接するセル（図では星印が付けられているセル）の種類を調べる。そして、隣接するセルが廊下の場合には、そこが階段の出入口となるように、イラストデータＰ１４またはＰ１５を配置する。そして、曲がり部分のセルには、セルＰ１０〜Ｐ１３から曲がり方に応じたセルを選択して配置する。このようにして、図１９に示すような階段の描画が行われる。
　【００５１】
　また、和室については、分割された矩形形状の大きさに基づいて、次のような処理を行う。まず、イラストデータ記憶部ＩＭに、予め図２０に示す畳のイラストを記憶させておく。ここで、図２０（ａ）は半畳の１セル分のイラストデータであり、（ｂ）は１畳の２セル分のイラストである。同様にして、図２０（ｃ）、（ｄ）、（ｅ）、（ｆ）、（ｇ）は、各々３畳、４畳半、６畳、８畳のイラストデータである。
　【００５２】
　そして、和室を描画する場合は、図２０に示すパターンの中からその和室に入る最も大きいものを選ぶ。次いで、残りのスペースに入る最も大きなパターンを選択し、順次同様の手法によってパターンの選択を行う。
　【００５３】
　なお、図２０（ｂ）、（ｄ）、（ｆ）のように方向のあるものは、縦向き、横向きの双方のイラストデータを記憶させておき、残りスペースの向きに対応するものを選択するようにしてもよい。また、一般に、和室は６畳、８畳等の矩形であるため、和室自体の形状に直接、図２０に示すイラストデータが割り当てられる場合も多い。
　【００５４】
　次に、壁の描画は、その向き（縦または横）に応じて、図１８に示すイラストパターンＰ６、Ｐ７のいずれかを選択して割り当てることによって行われる。これについては、前述した廊下の場合と同様の処理内容になる。
　【００５５】
（付加的表示処理）
　さて、図１４は、図１２に示す間取り図の拡大図であるが、この実施例においては、バス、トイレ、寝室書斎の表示については、次のような特殊な処理をしている。すなわち、バス、トイレ、寝室書斎の３種の部屋については、所定値以上の広さであれば、各々浴槽ａ１、便器ａ２、ベッドａ３を描画するようにしている。より詳細に言えば、バスについては、部屋が２×２セル以上の大きさであれば、浴槽ａ１のイラストデータをバス内に表示する（図１４参照）。また、トイレについては、その広さが１×２セル以上であれば便器ａ２のイラストを表示し、寝室書斎については、その広さが２×３セル以上であればベッドａ３を表示する。
　【００５６】
　これらの浴槽、便器、ベッドの各イラストデータは、予めイラストデータ記憶部ＩＭに記憶されており、バス、トイレ、寝室書斎の広さが上記のようになっていれば、イラストデータ記憶部ＩＭから読み出されて当該部屋のセル内に重畳して表示される。この場合、浴槽、便器、ベッドの表示向きは、縦方向と横方向の２つの向きが記憶されており、表示するセルの形状に応じていずれかが選択されるようになっている。なお、常に同一方向の向きで表示するように、処理を簡略化させてもよい。
　【００５７】
▲３▼３次元表示動作
　以上の処理が終了すると、入力された間取り情報に基づいて３次元表示を行う。この処理は、セル毎に所定の情報を算出し、これに基づいて立体表示を行う。ここで、所定情報の算出について説明する。
　【００５８】
　図２１は、１つのセルがもつ情報を示したものであり、図示のように、床、リビング、キッチン等を示す床面情報Ｄ１、セルの座標を示す位置情報Ｄ２、上側の壁の種類を示す上壁情報Ｄ３および左側の壁の種類を示す左壁情報Ｄ４の各情報を持つ。
　【００５９】
　ここで、図２２は部屋名が設定されたセルを単純化して示した図である。この図において、セル▲１▼、▲２▼、▲３▼の各々における情報Ｄ１〜Ｄ４は、次のようになる。
（セル▲１▼）
　床面情報Ｄ１：ダイニング
　位置情報Ｄ２：（３，３）
　上壁情報Ｄ３：壁
　左壁情報Ｄ４：ドアー
（セル▲２▼）
　床面情報Ｄ１：キッチン
　位置情報Ｄ２：（３，２）
　上壁情報Ｄ３：壁なし
　左壁情報Ｄ４：壁
（セル▲３▼）
　床面情報Ｄ１：リビング
　位置情報Ｄ２：（２，３）
　上壁情報Ｄ３：壁なし
　左壁情報Ｄ４：壁なし
　【００６０】
　以上のようにして、各セルについて４つの情報を求める。この場合、全てのセルが持つ情報を組み合わせることにより、設定した間取り図を完全に復元することができる。
　【００６１】
　次に、３次元化について、上述した（セル▲１▼）を例にとって説明する。図２３に示すように、（セル▲１▼）を立体化するには、（セル▲１▼）の４辺から垂直に立つ４つの面についての情報が必要になる。ところで、図２３に示す立体の８つの頂点の座標は、ＸＹ座標については（セル▲１▼）の座標、すなわち、位置情報Ｄ２とセル自体の大きさから求めることができ、また、Ｚ座標については予め一定値を決めてある。したがって、以上の条件により全ての頂点の座標が求められることが判る。
　【００６２】
　次に、各立体面の内面の色は、床情報の色、すなわち、この場合はダイニングの色とする。そして、（セル▲２▼）との境界に立つ面を▲１▼−▲２▼面、（セル▲３▼）との境界に立つ面を▲１▼−▲３▼面とした場合に、▲１▼−▲２▼面の外面は（セル▲２▼）の床情報の色、すなわち、この場合はキッチンの色とし、▲１▼−▲３▼面の外面は（セル▲３▼）の床情報の色、すなわち、この場合はリビングの色とする。ただし、壁の部分に窓、「ドア」、「ふすま」、「ガラス戸」、「壁をとる」等が設定されている場合は、当該壁については、その設定状況に合わせた、色や形にする。
　【００６３】
　以上の情報を、全てのセルについて求めると、間取り図を立体化するための情報が揃う。そして、これらの情報をモデリング手段に供給することにより、仮想空間に立体が組み立てられる。モデリング手段は、図２に示す画像処理部５内に設けられている。なお、モデリング自体は、周知の手法を用いればよいので説明は省略する。
　【００６４】
　次に、モデリング手段によって仮想空間に立体化された間取りを基にして、所定の視点から見た場合の２次元情報をレンダリング手段により算出し、その結果をテレビ２０に表示する。レンダリング手段は、モデリング手段と同様に画像処理部５内に設けられている。また、このレンダリング手段についても周知技術を用いればよいので、説明は省略する。
　【００６５】
　ここで、図２４は、レンダリング手段による処理結果の表示例であり、１階部分の立体図である。なお、この図は、初期視点から見た場合の立体図である。そして、視点を移動させる場合は、操作部８の方向キーＣＳＷを操作する。この結果、方向キーの操作情報がＣＰＵ２に検出され、これに応じた視点情報がＣＰＵ２から画像処理部５に転送される。これにより、レンダリング手段が新たな視点に対応した２次元情報の算出を行い、テレビ２０に表示する。したがって、顧客は、間取りの立体図を任意の視点から見ることができる。以上の表示は、２階、３階部分いついても同様に行われる。
　【００６６】
　この場合、セル単位で情報の抽出と３次元モデリングを行っているので、処理が単純化され、総合的な処理速度が極めて早くなる。
　【００６７】
▲４▼商品決定処理
　次に、間取りを実現するための商品、すなわち、床材、ドア、窓などの部屋を構成するための商品や、椅子、テーブルなどの商品を具体的に決定する処理に移行する。
　【００６８】
　図２５は、この処理の概要を示す図である。図に示す５０は、予算分配用情報テーブルであり、ＣＤ−ＲＯＭ７に記憶されている。この予算分配用情報テーブル５０は、間取りを水回り、パブリックゾーン、プライベートゾーン等に分けた場合に、全体の費用に対する各ゾーンの費用分配を記憶しているテーブルであり、統計的な資料に基づいて作成されている。ここで、水回りにはバス、トイレ等の各部屋があり、パブリックゾーンにはリビング、ダイニング等の部屋があり、また、プライベートゾーンには寝室などがある。
　【００６９】
　処理ステップＳＰａ１では、この予算分配用情報テーブル５０と図５（ａ）の画面で入力された予算の概算とから各ゾーンの分配額を算出し、さらに、同図に示す部屋別情報テーブル５１の各ゾーンの予算額を自動決定する。部屋別情報テーブル５１は、ＲＡＭ３（図２参照）内に設定される。なお、分配額の書き込みに際し、顧客から予算配分についての指示があれば、手動にてその修正を行う。
　【００７０】
　次に、ステップＳＰａ２に進み、図５（ｃ）の画面で入力したライフスタイル（嗜好情報）および間取り図から求められる各部屋の広さを部屋別情報テーブル５１の所定欄に自動書き込みする。さらに、スタイルおよび各部屋の広さから部屋別の予算を算出して書き込む。この場合、部屋別の予算の算出は、統計的なデータから得られるテーブル、あるいは数式に基づいて行われる。図２５に示す例では、水まわりのゾーンに対して４００万円が割り当てられ、そのうちのバスには２００万円、トイレには５０万円が割り当てられている。
　【００７１】
　次に、各部屋毎についてのスタイルを設定する処理について説明する。ここで、図２６に示す５２−１，５２−２，５２−３……は、各部屋についてのスタイルが記録されている部屋別スタイルテーブルである。これら部屋別スタイルテーブル５２−１，５２−２，５２−３……は、横軸が部屋の広さ、縦軸は価格（グレード）になっている。また、図に示す部屋別スタイルテーブル５２−１は、リビングについてのスタイルが設定されているテーブルであり、例えば、１２畳でグレード２のときは、「洋風３」と「洋風４」の２つのスタイルが選択でき、同じ広さでグレード３のときは「洋風２」「洋風３」および「和風」が選択できることが判る。他の部屋別スタイルテーブルも同様に構成されている。
　【００７２】
　次に、図２７に示す５３−１，５３−２，５３−３……は、商品テーブルであり、部屋、広さ、スタイルおよび価格（グレード）に応じた商品群を記録している。例えば、図２７に示す商品テーブル５３−１は、広さ１２畳のリビングで価格（グレード）が８０〜１００万、スタイルが洋風３の場合の商品群を示している。商品群は、間口部材（ドア、窓など）、内装（天井材、壁材、床材など）、照明、家具などに分類され、また、各分類について商品候補１、商品候補２……（図では候補２までを示す）のようにグループ分されている。そして、各商品については、商品番号が記憶されるようになっている。
　【００７３】
　さて、上述した各テーブルの内容から判るように、部屋別情報テーブルと、部屋別スタイルテーブルとを用いて予算、間取りに応じたスタイルを選択し、これに対応した商品テーブルを検索すれば、その部屋を構成するための商品や、椅子、テーブルなどの家具を決定することができる。
　【００７４】
　次に、商品選択までの操作について説明する。この操作は、例えば、玄関、リビング、ダイニング……のように、予め決められた部屋順で行われる。今、リビングについて商品選択操作が行われるとすると、まず、図２８に示すように、部屋別スタイルテーブルに示されるスタイルに応じたリビングの写真データが読み出される。この場合、広さ１２畳でグレードが２とすると、部屋別スタイルテーブル５２−１に示されるように、洋風３と洋風４のスタイルが選択可能であるが、この実施例においては、例えば、はじめに洋風３を自動選択する。そして、このスタイルに適合した写真データ（ＣＤ−ＲＯＭ７内に予め記録されている）を読み出してテレビ２０に表示する。図２８は、洋風３のリビングの写真データが表示された例である。そして、画面上部に部屋名「リビング」が表示されるとともに、スタイル「洋風３」の写真データが表示される。また、画面下部に「決定」および「変更」のボタン表示がなされる。すなわち、方向キーＣＳＷを用いてポインタを移動させ、「変更」を選択すると、洋風４のリビングの写真データが表示される。ここで、候補となるスタイルがあれば、「変更」を選択する毎に次の候補に対応する写真データが読み出されて表示される。一方、「決定」を選択すると、そのスタイルが決定されるとともに、図２９に示す表示に移行する。この場合、図２９の表示は、当該リビングの写真のまま（図示略）、画面下部に「提案変更」「商品１」「商品２」および「次の部屋へ」というボタン表示がなされる。ここで、「提案変更」を選択すると、図２８に示す表示に戻る。また、「商品１」「商品２」は、リビングに配置される家具に対応している。そして、例えば、「商品１」がリビングボードに対応し、「商品２」がソファーに対応している場合に、仮に「商品１」が選択されると、図３０に示す表示になる。この表示では、画面上部に商品名「リビングボード」およびスタイル「モダン」が表示され、画面下部に品番、価格が表示される。また、画面中央部には、その商品の写真（図示略）が表示される。また、画面下部右側には、「決定」および「変更」のボタン表示がなされ、「決定」が選択されると表示中の商品が決定されて図２９の表示に戻り、また、「変更」が選択されると次の候補のリビングボードが表示される。この場合、各商品の選択は、図２７に示す商品テーブル５３−１に従って行われ、このテーブルから読み出された商品番号に対応した写真データが表示されるようになっている。
　【００７５】
　以上のようにして、部屋のスタイルや、その部屋を構成する部材あるいはその部屋におかれる家具などが決定される。そして、この操作を各部屋について行うことにより、設計した間取りに対応する各部屋の材料や家具が決定される。なお、廊下などではセットにした家具がないこともあるが、このような場合には、図２９、図３０の表示はなされなず、図２８の全体的な表示だけが行われる。
　【００７６】
　上述の操作が終了すると、「ありがとうございました。それでは、お客様の総合提案を部屋順にご紹介していまいりましょう。」という案内音声がなされ、いままで決定した部屋や家具についての写真表示が上映される。このとき、ビデオプレーヤ２１（図１参照）は、その上映内容を記録する。そして、上映が終了した際には、図３１に示す表示が行われる。なお、録画したビデオテープ２２は、顧客に渡す。
　【００７７】
▲５▼記録／送信モード
　図３１の表示は、「通信」「保存」「保存しない」の３つのボタンが表示され、さらに、提案コードを表示する窓が表示される。ここで、「保存しない」を選択すると、いままでＲＡＭ３内に記録された間取りデータや商品データが消去される。
　【００７８】
　ここで、提案コードは、自動的にシリアルな番号が付与されるようになっており、「保存」が選択されると、フロッピーディスク、ＥＰ−ＲＯＭ等の外部媒体（図示略）にＲＡＭ３内のデータが提案コードとともに記録される。また、通信を選択すると、ＲＡＭ３内のデータが識別コードともに、送信部１１を介して図１に示すワークステーション３０に転送される。ワークステーション３０では、転送されたデータをもとにして図３２、図３３に示すようなカタログ作成を行う。
　【００７９】
▲６▼部屋別提案書作成処理
　図３２はカタログの表紙であり、また、図３２はカタログの一部である。図３２に示す表紙には、左側に各部屋についての簡単なコメントがあり、右側には間取り図を中心に、図２８に示す画面で選択した各部屋のスタイルを示すイメージ写真が配置されている。間取り図の各部屋には番号が付けられており、また、イメージ写真とコメントにも対応する番号が付けられている。
　【００８０】
　また、図３３に示すカタログは、リビングルームの例であり、同様のカタログが原則として１部屋あたり１頁で作成されている。図３３に示す部分ａは、間取り図であり、リビングルームに該当する部分が色別表示されている。また、部分ｂは図２９、図３０に示す画面で選択した家具のイメージ写真が表示され、部分ｃにはそのバリエーションとなる家具が表示されている。また、部分ｄはオプションの家具である。
　【００８１】
　一方、カタログの左側の部分ｅ（列）には、商品テーブル５３−１のデータに基づく天井材、床材、ドア、照明などの部材のイメージ写真と解説が表示されている。これらは、商品テーブル５３−１のデータに基づいて選択された部材である。なお、商品テーブル５３−１は、前述したように、予算、広さおよび図２８の画面で決定した部屋のスタイルによって選択されたテーブルである。
　【００８２】
　次に、部分ｆ（列）、部分ｇ（列）は、各々部分ｅと同様の部材を示すが、バリエーションとしての表示である。これらのバリエーションは、ワークステーション３０内に記憶されているデータに基づいて選択されている。
　【００８３】
　上述したカタログ作成は次のようにして行われる。すなわち、ワークステーション３０では、文字画像データベース３１内記憶されている画像データや文字データを、マルチメディアプレーヤ１から転送されたデータに従って読み出し、これらのデータを図３２、図３３に示すように配置し、カラープリンタ３２に出力することによって行う。
　【００８４】
　さて、作成されたカタログは、顧客とのディスカッションに供され、そのプランをさらに煮詰めていく。このとき、種々の修正が出されることが多いが、その修正データはワークステーション３０またはマルチメディアプレーヤ１において入力され、最終決定された各部屋のスタイルや部材が選定される。
　【００８５】
▲７▼全体イメージカタログ作成処理
　次に、ワークステーション４０においては、最終決定された各部屋のスタイルや部材のデータをワークステーション３０から受け取り、これに基づいて図３４に示す全体イメージカタログを作成する。すなわち、ワークステーション３０から間取り、各部屋の予算、スタイル、部材等を示すデータを受け取り、これに基づいて文字画像データベース４１をアクセスし、該当するイメージ写真のデータおよび文字を読み出す。そして、間取り図を中央に配置し、その周囲を各部屋の写真が囲うように自動配置する。この自動配置にあたっては、次のような手法が用いられる。
　【００８６】
　まず、間取り以外の領域、すなわち、空き領域を検出し、ここにイメージ写真を表示するパターン枠が設定される。空き領域の検出は、間取りを囲う上下左右の領域について行われる。次に、空き領域が検出された後は、各空き領域についてイメージ写真の画像が収納可能であるか否かが判断される。この判断は、イメージ写真の画像寸法は既知であるから、各画像と空き領域とを比較して、どの空き領域にどの画像が収納されるかを設定する。ただし、各部屋の画像は、対応する間取りの位置に近くなるように優先配置される。そして、以上のようにして、空き領域に配置された画像の中点と、間取り図の各部屋内に予め設定された指示ポイント（図中黒丸参照）とを実線で結ぶ。この処理は、指示ポイントの中心座標を（Ｘ１，Ｙ１）とし、これに対応する画像の中心座標を（Ｘ２，Ｙ２）としたとき、座標（Ｘ１，Ｙ２）から座標（Ｘ２，Ｙ２）までの線分Ｌ１と、座標（Ｘ１，Ｙ１）から座標（Ｘ１，Ｙ２）までの線分Ｌ２とを描くことによって行われる。同様の処理が各指示ポイントとこれらに対応する画像との間で行われる。線分が描画された後は、以下の点が評価される。
　（ｉ）他の画像と重なっていないか？
　（ｉｉ）他の線分と重なっていないか？
　（ｉｉｉ）他の線分との距離はどれだけあるか？
　次に、上記評価点が最低である線分の組が適宜移動される。例えば、上下左右に種々移動した場合の評価点を算出し、その中で最高点となる線分を検出してその線分の組に置き換える。この置き換えの後に、再び評価点が最低である線分を検出する。ここで、「評価点が最低である線分」は、一般的には最初に選択されたものとは異なっている。すなわち、最初に評価点が最低である線分は、上述の処理が行われたことにより評価点が向上する可能性が高く、ここで処理の対象となるものは、一般的には、別の線分である。
　【００８７】
　このように、評価点が最低である線分に対して、その値を向上させる処理が繰り返され、全体の評価点は徐々に向上する。そして、このような処理が所定回数（例えば、３０回）行われると、他の画像や線分と重ならない線分を描くことができる。なお、このような自動処理によっても修正の必要が生じることがあるが、このような場合にはマニュアルによる修正処理が行われる。
　【００８８】
　そして、上述の線引き処理終了後には、各写真の画像、間取り図および線分の印刷データをカラープリンタ４２に供給する。これにより、カラープリンタ４２からは、図３４に示す全体イメージカタログが出力される。このように、従来、切り貼り等の手作業で行っていた全体イメージカタログの作成を、ワークステーション３０から転送されるデータに基づいて自動的に行うことができる。
　【００８９】
Ｃ：変形例
　▲１▼ワークステーション４０の処理をワークステーション３０に行わせ、構成を簡略化してもよい。
　【００９０】
　▲２▼上記実施例においては、間取りをはじめから書くようにしたが、プランが決まっていない場合は、いくつかの間取りのパターンを予め用意しておき、これを修正するようにしてもよい。
　【００９１】
　▲３▼図４（ａ）に示す「最新インテリア集を見る」を選択すると、ＣＤ−ＲＯＭ７に予め記録されたインテリア写真が順次表示される。
　【００９２】
　【発明の効果】
　以上説明したように、この発明によれば、顧客の希望や条件に応じた住宅プランを部屋のイメージや関連商品も含めて、素早く的確に提示することができる。
　また、イメージデータプリント手段により、部屋のイメージと間取り図とを所定位置にプリントし、さらに、当該部屋に関連のある商品を併せてプリントすることにより、個々の顧客に対応した部屋別の提案カタログを作成することができ、より的確な住宅プランを提示することができる。
　また、イメージデータ配置手段により間取り図を中心にして部屋のイメージデータを配置し、かつ、線分描画手段により間取り図の対応する部分とイメージデータとを線で結び、このようにして描かれた図をプリント手段によってアウトプットすれば、全体のイメージが極めて掴み易い、住宅プランを提示することができる。
【図面の簡単な説明】
　【図１】
　この発明の一実施例の構成を示すブロック図である。
　【図２】
　同実施例におけるマルチメディアプレーヤの構成を示すブロック図である。
　【図３】
　操作部８の形状を示す平面図である。
　【図４】
　同実施例の表示例を示す図である。
　【図５】
　同実施例の表示例を示す図である。
　【図６】
　同実施例の表示例を示す図である。
　【図７】
　同実施例の間取り入力画面のグリッドを示す図である。
　【図８】
　図７の一部を拡大した拡大図である。
　【図９】
　間取り入力時のフロアボタン、部屋ボタン、壁ボタンを示す正面図である。
　【図１０】
　間取り入力字の表示例を示す図である。
　【図１１】
　間取り入力時の入力方法を示す説明図である。
　【図１２】
　表示される間取りの一例である。
　【図１３】
　表示される間取りの一例である。
　【図１４】
　表示される間取りの拡大図である。
　【図１５】
　間取り作成処理を示すフローチャートである。
　【図１６】
　間取り作成処理を示すフローチャートである。
　【図１７】
　間取り図を構成するデータを説明するための概念図である。
　【図１８】
　間取り図作成の際に用いられるイラストデータを示す概念図である。
　【図１９】
　階段部分の描画法を説明するための説明図である。
　【図２０】
　和室の畳を描画する際の手法を説明する説明図である。
　【図２１】
　１つのセルに必要なデータを示す概念図である。
　【図２２】
　セルに着目した場合の間取り図である。
　【図２３】
　セルを立体化する場合の各面を説明する概念図である。
　【図２４】
　立体描画の一例を示す図である。
　【図２５】
　予算の分配の手順を示す概念図である。
　【図２６】
　部屋別スタイルテーブルを示す図である。
　【図２７】
　商品テーブルを示す図である。
　【図２８】
　部屋決定時の案内表示を示す図である。
　【図２９】
　部屋決定時の案内表示を示す図である。
　【図３０】
　商品決定時の案内表示を示す図である。
　【図３１】
　送信、データ保存の有無を尋ねる案内画面を示す図である。
　【図３２】
　顧客別のカタログの表紙を示す図である。
　【図３３】
　顧客別のカタログの部屋の部分の一例を示す図である。
　【図３４】
　各部屋のイメージ写真を間取りとともに表示した全体イメージカタログを示す図である。
　【符号の説明】
１　マルチメディアプレーヤ
２　ＣＰＵ
７　ＣＤ−ＲＯＭ（部屋イメージ情報記憶手段：商品情報記憶手段：商品イメージ情報記憶手段：説明文情報記憶手段）
８　操作部（基本情報入力手段：間取り情報入力手段：商品選択手段）
１１　送信部（送信手段）
２１　ビデオプレーヤ（記録手段）
３０　ワークステーション（イメージ情報読出手段：部屋イメージ印刷手段）
３１　文字画像データベース（商品イメージ情報記憶手段：部屋イメージ情報記憶手段）
３２　カラープリンタ（部屋イメージ印刷手段）
４０　ワークステーション（間取り図作成手段：イメージ情報読出手段：間取り図印刷手段）
４１　文字画像データベース（商品イメージ情報記憶手段：部屋イメージ情報記憶手段）
４２　カラープリンタ（間取り図印刷手段）